(57)【特許請求の範囲】
【請求項１】
立設された内部に空間がある支柱と、該支柱に嵌合されて上下に摺動するようにした摺動環と、該摺動環に枢着自在に取り付けられた複数の骨組と、該骨組に雨が漏らないように張られたシートと、該支柱の頂端部と該骨組の中間部とをそれぞれピン結合して、骨組の先端が上方へ向く姿勢に骨組を保持するガイド部材とから成るパラソルにおいて、該支柱の頂端部には、第２滑車を固定し、また、該支柱下方部にワイヤー挿通孔を設けると共に、ワイヤー挿通孔近傍に第１滑車を支柱に固定し、パラソル下方部に設置したウインチからのワイヤーロープをワイヤー挿通孔に挿通し、第１滑車に掛けて、そして、該支柱内部の上方部にて、該ワイヤーロープを第２滑車に掛けて、支柱外側に出し、更に、支柱外側に出たワイヤーロープを該摺動環に固定し、ウインチにてワイヤーロープを巻き込むことにより、該支柱の中間部に嵌合している該摺動環を上昇させ、該骨組が開くようにし、摺動環の上昇ストロークを、骨組の先端が上方へ向いた閉状態から骨組の先端が上方へ向いた姿勢での開状態となる範囲にし、シートの摺動環近傍に水抜き穴を設けると共に、摺動環の下部に雨水受皿を設け、該雨水受皿の雨水を、摺動環の停止段階毎に支柱に設けた開孔から支柱内を通して外部に流すようにしたことを特徴とするパラソル。
【請求項２】
前記支柱の頂端部には、２つの第２滑車を固定し、該支柱内部の上方部のワイヤーロープを２つに分け、２つに分かれたワイヤーロープのそれぞれを第２滑車に掛けて、該支柱外側に出し、更に、該支柱外側に出たワイヤーロープを２つに分け、更に分かれたワイヤーロープのそれぞれを前記摺動環に等分割に固定したシャックルに固定した請求項１の記載のパラソル。
【請求項３】
前記複数の骨組を４本にした請求項１又は２記載のパラソル。
【請求項４】
前記複数の骨組を６本にした請求項１又は２記載のパラソル。
【請求項５】
前記複数の骨組を８本にした請求項１又は２記載のパラソル。
【請求項６】
前記シートを各骨組間に張られた複数のシートピースから成るようにした請求項１〜５いずれかの記載のパラソル。
【請求項７】
前記支柱の頂端部には支柱トップカバーを設けた請求項１〜６いずれかの記載のパラソル。
【請求項８】
前記支柱下方部を枠組に立設し、該枠組に前記ウインチを設け、また、該枠組に移動可能にキャスターを設けた請求項１〜７記載のいずれかの記載のパラソル。
【請求項９】
前記支柱下方部を地中に埋設し、該支柱の周囲に砕石を布設した請求項１〜７いずれかの記載のパラソル。
【発明の詳細な説明】
【０００１】
【発明の属する技術分野】
この発明は、展示のためのショウルーム空間および商業施設における屋外展示空間を作るための折り畳みパラソルに関する。
【０００２】
【従来の技術】
従来の折り畳みパラソルは支柱上部に傘状の布地を設けたものであり、傘の開く角度が一定であり、下方に広がるように開いている。そして、雨滴が外周部の方へ落下し、外側が雨滴により濡れることがある。
【０００３】
【発明が解決しようとする課題】
この発明は、従来の傘が下方に広がっているのとは逆に、上方に広がっているものであり、雨滴が外周部に落ちず、雨水は中央部に集約するパラソルを提供することを目的とする。
【０００４】
【課題を解決するための手段及び作用効果】
上記目的を達成するため、この請求項１に係る発明は、立設された内部に空間がある支柱と、該支柱に嵌合されて上下に摺動するようにした摺動環と、該摺動環に枢着自在に取り付けられた複数の骨組と、該骨組に雨が漏らないように張られたシートと、該支柱の頂端部と該骨組の中間部とをそれぞれピン結合して、骨組の先端が上方へ向く姿勢に骨組を保持するガイド部材とから成るパラソルにおいて、該支柱の頂端部には、第２滑車を固定し、また、該支柱下方部にワイヤー挿通孔を設けると共に、ワイヤー挿通孔近傍に第１滑車を支柱に固定し、パラソル下方部に設置したウインチからのワイヤーロープをワイヤー挿通孔に挿通し、第１滑車に掛けて、そして、該支柱内部の上方部にて、該ワイヤーロープを第２滑車に掛けて、支柱外側に出し、更に、支柱外側に出たワイヤーロープを該摺動環に固定し、ウインチにてワイヤーロープを巻き込むことにより、該支柱の中間部に嵌合している該摺動環を上昇させ、該骨組が開くようにし、摺動環の上昇ストロークを、骨組の先端が上方へ向いた閉状態から骨組の先端が上方へ向いた姿勢での開状態となる範囲にし、シートの摺動環近傍に水抜き穴を設けると共に、摺動環の下部に雨水受皿を設け、該雨水受皿の雨水を、摺動環の停止段階毎に支柱に設けた開孔から支柱内を通して外部に流すようにしたことを特徴とするパラソルである。
【０００５】
上記構成により、パラソルは、上方が広がるようになり、雨滴が外周部の方へ落下せず、中央部に集約し、シートの摺動環近傍に設けられた水抜き穴より雨水受皿に集約される。そしてこの雨水受皿に集約された雨水は摺動環の停止段階毎に支柱に設けられた開孔を通り、支柱内部に流れて外部に排出される。
【０００６】
上記目的を達成するため、この請求項２に係る発明は、前記支柱の頂端部には、２つの第２滑車を固定し、該支柱内部の上方部のワイヤーロープを２つに分け、２つに分かれたワイヤーロープのそれぞれを第２滑車に掛けて、該支柱外側に出し、更に、該支柱外側に出たワイヤーロープを２つに分け、更に分かれたワイヤーロープのそれぞれを前記摺動環に等分割に固定したシャックルに固定した請求項１の記載のパラソルである。
【０００７】
上記構成により、前記摺動環をバランス良く上昇或いは下降させることができる。
【０００８】
上記目的を達成するため、この請求項３〜５に係る発明は、前記複数の骨組を４本、６本および８本にした請求項１又は２記載のパラソルである。
【０００９】
上記構成により、ウインチによりワイヤーロープを巻き込みことにより摺動環を上昇させる際、バランスがとれて、スムーズに骨組を開くことができる。特に、８本の骨組にするとスムーズに骨組を開くことができる。
【００１０】
上記目的を達成するため、この請求項６に係る発明は、前記シートを各骨組間に張られた複数のシートピースから成るようにした請求項１〜５いずれかの記載のパラソルである。
【００１１】
上記構成により、各骨組間に雨が漏らないように張られたシートピースであるので、各骨組間毎でのシートピースの張り替えが可能である。
【００１２】
上記目的を達成するため、この請求項７に係る発明は、前記支柱の頂端部には支柱トップカバーを設けた請求項１〜６いずれかの記載のパラソルである。
【００１３】
上記構成により、前記支柱の頂端部に設けた支柱トップカバーが支柱の内部に雨水等の進入を防ぐことができる。
【００１４】
上記目的を達成するため、この請求項８に係る発明は、前記支柱下方部を枠組に立設し、該枠組に前記ウインチを設け、また、該枠組に移動可能にキャスターを設けた請求項１〜７記載のいずれかの記載のパラソルである。
【００１５】
上記構成により、ショウルーム等の空間を移動する際、キャスターを設けたので移動し易すくなる。
【００１６】
上記目的を達成するため、この請求項９に係る発明は、前記支柱下方部を地中に埋設し、該支柱の周囲に砕石を布設した請求項１〜７いずれかの記載のパラソルである。
【００１７】
上記構成により、前記支柱下方部を地中に埋設するので、耐強風構造に建造できる。また、該支柱の周囲に砕石を敷設するので、雨水を地中にしみ込ませることができる。
【００１８】
【発明の実施の形態】
この発明の実施の形態を図面を参照して詳述する。
図１は、この発明の展開されたパラソルの正面図、図２は、この発明の展開されたパラソルの図１のＣーＣ断面の平面図、図３は、図１のＡ部拡大図、図４は、図１のＡ部拡大図（ガイド部材を含む。）図５は、図１のＢ部の支柱頂端部の断面図、図６は、Ｂ部の支柱頂端部の図５のＤ−Ｄ断面平面図、図７は、この発明の骨組を開閉させるためのワイヤーロープ機構を説明するための説明図、図８は、この発明の骨組の開閉作動を説明する説明図。
【００１９】
図９は、この発明の骨組を４本にした実施例の摺動環部の平面図、図１０は、この発明の骨組を６本にした実施例の摺動環部の平面図、図１１は、この発明の支柱下方部をスチール枠組に立設し、該スチール枠組に前記ウインチを設け、また、スチール枠組に移動可能にキャスターを設けた実施例の説明図、図１２は、この発明の摺動環の下部に雨水受皿を設けた実施例の説明図である。
【００２０】
図１を参照して説明すると、地中に基礎６を作り、その基礎６に支柱１を建造する。支柱１はアルミ合金製であり、その内部は中空である。該支柱１に摺動環２を嵌合し、摺動環２に揺動自在に８本の骨組３を取り付ける。骨組３の先端にはキャップ１０を取付け、その色及び形状は変更できる。
【００２１】
図２に示すように、８本の骨組に１枚のシート１１を張り合わせる。また、８本の骨組の各骨組間にシートピース１１ａを編み込んだり或いは袋かぶせ等をして張りあわせる。シートピース１１ａの摺動環近傍には水抜き穴１２を設ける。支柱１の頂端部９には図５に示すように２つの第２滑車（シーブ）８、８をピンとスナップリングで取り付ける。また、支柱１の頂端部９には支柱トップカバー１３を取り付け、その色及び形状は変更できる。なお、支柱１の頂端部９を上に延伸させてパラソルの全体観がコマの形状にしても良い。
【００２２】
図４および５に示すように、支柱１の頂端部９にガイド部材４を揺動自在に取り付け、ガイド部材４の他端を骨組３の中間部と揺動自在に取り付ける。
パラソルの開閉作動を図７および図８に基づいて説明すると、正転・逆転のどちらにもラッチがかかるウインチ７から伸び出したワイヤーロープ５をウインチ７近傍の支柱１に設けたワイヤー挿通孔１６を通し、第１滑車１４に掛け、そのワイヤーロープ５を支柱１の上方部において２つのワイヤーロープ５ａ，５ａに分け、分けられたワイヤーロープ５ａ，５ａのそれぞれを第２滑車８に掛け、支柱１の外側に出し、摺動環２の近傍まで下げ、さらに、ワイヤーロープ５ａを２つの更に分かれたワイヤーロープ５ｂ，５ｂに分け、そのワイヤーロープ５ｂを図３および図４に示されるように摺動環に設けられたシャックル１５に取り付ける。
【００２３】
図８（ａ）はパラソルが閉じた状態であり、骨組３は水平に対して約８０°である位置で固定する。図８（ｂ）はパラソルが途中の開いた状態であり、その位置で固定する。図８（ｃ）はパラソルが完全に開いた状態であり、骨組は水平に対して約１０°である位置で固定する。
図９は、この発明の骨組を４本にした実施例を示し、図１０は、この発明の骨組を６本にした実施例を示している。
【００２４】
図１１は、パラソルを可動にしたものであり、支柱１の下部をスチール（金属製）枠組１９に立設し、スチール（金属製）枠組１９下面に１方向に移動するロック付キャスター２０および３６０°回転する回転式キャスター２１を取り付ける。また、スチール（金属製）枠組１９の上面には、ウインチ７を取り付ける。
【００２５】
図１２には摺動環２に雨水受皿２２を設けた実施例が示されており、支柱１との間の雨水受皿２２にはパッキング２４を設け、支柱１の外に雨水が流れないようにし、パラソルの段階毎に停止させる位置に設けられた開孔２３から支柱内部に流れる。そして、支柱１の下部に設けた水抜孔２５から雨水を外部に流す。
開孔２３とピンにてパラソルの支柱１の段階毎に摺動環２を停止させる。
【００２６】
【発明の効果】
この発明は、以上説明したように構成されているので、雨水は中央部に集約し、雨水に対する防雨対策が容易であり、また、シートの部分破損による部分補修が可能になる。
さらに、この発明は骨組を自由な角度に設定でき、そして、キャスターにより移動できるので、手軽に設置できる。
【図面の簡単な説明】
【図１】この発明の展開されたパラソルの正面図である。
【図２】この発明の展開されたパラソルの図１のＣ−Ｃ断面の平面図である。
【図３】図１のＡ部拡大図である。
【図４】図１のＡ部拡大図（ガイド部材を含む。）である。
【図５】図１のＢ部の支柱頂端部の断面図である。
【図６】Ｂ部の支柱頂端部の図５のＤ−Ｄ断面の平面図である。
【図７】この発明の骨組を開閉させるためのワイヤーロープ機構を説明するための説明図である。
【図８】この発明の骨組の開閉作動を説明する説明図である。
【図９】この発明の骨組を４本にした実施例の摺動環部の平面図である。
【図１０】この発明の骨組を６本にした実施例の摺動環部の平面図である。
【図１１】この発明の支柱下方部をスチール（金属製）枠組に立設し、該スチール（金属製）枠組に前記ウインチを設け、また、スチール（金属製）枠組に移動可能にキャスターを設けた実施例の説明図である。
【図１２】この発明の摺動環の下部に雨水受皿を設けた実施例の説明図である。
【符号の説明】
１…支柱、２…摺動環、３…骨組、４…ガイド部材、５…ワイヤーロープ、５ａ…２つに分かれたワイヤーロープ、５ｂ…更に分かれたワイヤーロープ、６…基礎、７…ウインチ、８…第２滑車、９…支柱の頂端部、１０…キャップ、１１…シート、１１ａ…シートピース、１２…水抜き穴、１３…支柱トップカバー、１４…第１滑車、１５…シャックル、１６…ワイヤー挿通孔、１７…砕石（丸石）、１８…ワイヤークリップ、１９…スチール（金属製）枠組、２０…ロック付キャスター、２１…回転式キャスター、２２…雨水受皿、２３…開孔、２４…パッキング、２５…水抜孔。
【図１】
0003546265.tif 000002
【図２】
0003546265.tif 000003
【図３】
0003546265.tif 000004
【図４】
0003546265.tif 000005
【図５】
0003546265.tif 000006
【図６】
0003546265.tif 000007
【図７】
0003546265.tif 000008
【図８】
0003546265.tif 000009
【図９】
0003546265.tif 000010
【図１０】
0003546265.tif 000011
【図１１】
0003546265.tif 000012
【図１２】
0003546265.tif 000013